(57)【要約】【課題】本発明は、火災が起きたことを検知する敷物、及び、その敷物を使用した火災報知装置であって、例えば、仏事の際におこる、仏具で使用している火によって起こる火災を未然に防止することを課題とする。【解決手段】本発明は、紙材を圧縮することで形成された下地１４と、当該下地の表面を被う、いぐさを編み込むことで形成された表地１２と、表地１２と下地と１４の間に配置された、火災により発生する熱により作用する感知具１８とを含む構成を採用している。【選択図】　図１
2004030559.tif 000002
【特許請求の範囲】
【請求項１】
下地と、当該下地の表面を被う表地と、該表地と下地との間に配置された、火災により発生する熱で作用する感知具とを含む敷物であって、
当該下地と、感知具と、表地とが積層されていることを含む火災検知用敷物。
【請求項２】
前記表地と下地の間に難燃性の防火シートが配置され、
前記表地と防火シートとの間に、火災により発生する熱で作用する感知具が配置されることを含む請求項１に記載の火災検知用敷物。
【請求項３】
紙材を圧縮することで形成された下地と、
前記下地の表面に被われる難燃性の防火シートと、
該防火シートの表面を被う、いぐさを編み込むことで形成された表地と、
前記表地と防火シートとの間に配置された、火災により発生する熱で作用する感知具と、
前記感知具が感知した情報によって動作する検知装置と、
を含む火災報知装置。
【請求項４】
表面に装飾が施されている表地と、
前記表地の裏面に貼付された、火災により発生する熱で作用する感知具と、
を含む、火災検知用敷物。
【請求項５】
前記感知具が、火災により発生する熱で断線する線材を使用することを含む、請求項１乃至請求項４に記載の火災検知用敷物及びその敷物を用いた火災報知装置。
【請求項６】
前記感知具が、可燃性の細管に挿入されていることを含む、請求項５に記載の火災検知用敷物及びその敷物を用いた火災報知装置。
【請求項７】
前記感知具が、火災により発生する熱で作動する、温度スイッチで構成されることを含む、請求項１乃至請求項４に記載の火災検知用敷物及びその敷物を用いた火災報知装置。
【請求項８】
ロウソク立ての転倒を検知することにより火災を報知する火災報知装置であって、
表面が絶縁された表地と、
前記表地の表面に間隔を空けて配置された２枚の導電板と、
前記ロウソク立ての底部に配置され、前記２枚の導電板にまたがる大きさを備えた導電部材と、
前記２枚の導電板と導線にて電気的に接続された検知装置と、
を含む、火災報知装置。
【請求項９】
前記導線が、火災により発生する熱で断線する線材を含む、請求項８に記載の火災報知装置。
【発明の詳細な説明】
【０００１】
【発明の属する技術分野】
本発明は、敷物の表地が火災により燃焼した場合に、その火災を検知するための敷物及びその敷物を用いた火災報知装置に関する。
【０００２】
【従来の技術】
家庭で日頃行われる仏事には、仏壇にお参りをするお勤めがある。このお勤めには仏壇の前に並べられた、香炉、ロウソク立て、花立ての三具足が用いられる。この香炉においては線香等の香が焚かれ、ロウソク立てにおいては、点火されたロウソクが立てられる。
【０００３】
このお勤めの最中は、お勤めをする人が常時仏壇の前にいるわけではなく、線香やロウソクに点火したまま、仏壇の前を離れることが殆どである。そのお勤めをする人が仏壇の前を離れた際に、何らかの原因により、香炉やロウソク立てが転倒し、線香やロウソクに点火されていた火による火災事故が起こることがあった。
【０００４】
従来、この線香やロウソクに点火されていた火による火災事故が起きないように様々な工夫が試されていた。例えば、表地に難燃性の素材を用いた敷物を用意し、その敷物の表に三具足を置くことによって、香炉やロウソク立てが転倒しても、その点火された火が、ほかの物に引火しないようにしていた。
【０００５】
しかし、一般的に難燃性の素材は、特殊な合成樹脂等で形成されているものが多く、見た目において人工的な雰囲気が醸し出されており、神妙な心持ちでお勤めをする人にとっては、この人工的な雰囲気が心理的に違和感を生じさせていた。また、一般に豪華な雰囲気の仏壇とは対照的に、難燃性の素材を採用している敷物は、外見的に貧弱であり、仏壇と共に使用するには視覚的にバランスが悪かった。
【０００６】
【発明が解決しようとする課題】
本発明は、敷物の表地が火災で燃焼した場合に、その火災を検知する敷物及びその敷物を用いた火災報知装置を用いることで、火災を未然に防止することを課題とする。
【０００７】
【課題を解決するための手段】
本発明は、下地と、当該下地の表面を被う表地と、該表地と下地との間に配置された、火災により発生する熱で作用する感知具とを含む敷物であって、当該下地と、感知具と、表地とが積層されていることを含む火災検知用敷物を提供することにより課題を解決している。
【０００８】
また、本発明は、上述の敷物において、前記表地と下地の間に、難燃性の防火シートが配置され、前記表地と防火シートとの間に、火災により発生する熱で作用する感知具が配置されることを含む、火災検知用敷物を提供することにより課題を解決している。
【０００９】
また、本発明は、紙材を圧縮することで形成された下地と、前記下地の表面に被われる難燃性の防火シートと、該防火シートの表面を被ういぐさを編み込むことで形成された表地と、前記表地と防火シートとの間に配置された、火災により発生する熱で作用する感知具と、前記感知具が感知した情報によって動作する検知装置を含む、火災報知装置を提供することにより課題を解決している。
【００１０】
また、本発明は、表面に装飾が施されている表地と、前記表地の裏面に貼付された、火災により発生する熱で作用する感知具を含む、火災検知用敷物を提供することにより課題を解決している。
【００１１】
また、本発明は、上述に記載された感知具が、火災により発生する熱で断線する線材を使用することを含む、火災検知用敷物及びその敷物を用いた火災報知装置を提供することにより課題を解決している。
【００１２】
また、本発明は、上述に記載された感知具が、可燃性の細管に挿入されていることを含む、火災検知用敷物及びその敷物を用いた火災報知装置を提供することにより課題を解決している。
【００１３】
また、本発明は、上述に記載された感知具が、火災により発生する熱で断線する線材を使用する替わりに、火災により発生する熱で作動する温度スイッチで構成されることを含む、火災検知用敷物及びその敷物を用いた火災報知装置を提供することにより課題を解決している。
【００１４】
また、本発明は、ロウソク立ての転倒を検知することにより火災を報知する火災報知装置であって、表面が絶縁された表地と、前記表地の表面に間隔を空けて配置された２枚の導電板と、前記ロウソク立ての底部に配置され、前記２枚の導電板にまたがる大きさを備えた導電部材と、前記２枚の導電板と導線にて電気的に接続された検知装置とを含む構成を採用することにより課題を解決している。
【００１５】
また、本発明は、上述に記載された、火災により発生する熱で断線する線材を含む構成を採用することにより課題を解決している。
【００１６】
【発明の実施の形態】
本発明の第１の実施形態を、図を用いて説明する。図１は、本発明による敷物１０ａの斜視破断図である。図２は、本発明による敷物１０ａの断面図である。この図２の断面図は、敷物１０ａの構造を分かり易くするために、シート状の部材の厚み部分を強調して記載している。本実施の形態においては、三具足を置く一方の面を表面とし、他方の面を裏面と表現する。また、この敷物１０ａを使用する際に、お勤めをする人が面する一側面を前面とし、仏壇が面する他側面を後面と表現する。
【００１７】
本発明による敷物１０ａは、紙材を圧縮することで形成された下地１４と、いぐさを編み上げることで形成された表地１２と、この表地１２と下地１４の間に、難燃性の防火シート１６が配置され、この表地１２と防火シート１６との間に、火災により発生する熱で作用する感知具１８が配置される。また、図５で示すように敷物１０ａと、この敷物１０ａと電気的に接続された検知装置４０によって、火災報知装置１１を構成している。
【００１８】
下地１４は、軟性下地１４ａと、硬性下地１４ｂにより構成されている。軟性下地１４ａは、目が粗いパルプ素材を積層し、圧縮することで、約１０ミリメートルの厚さになるよう形成されている。また、硬性下地１４ｂは、目が細かいパルプ素材を積層し、圧縮することで、約２ミリメートルの厚さになるよう形成されている。この硬性下地１４ｂの表面に軟性下地１４ａが重ね合わされている。敷物１０ａの前面及び後面の側面方向を横とし、その側面方向に直角に交わる面方向を縦とすると、この下地１４の大きさは、縦６４ｃｍ、横８７ｃｍの大きさである。
【００１９】
軟性下地１４ａと、硬性下地１４ｂを用いる理由を以下に説明する。下地１４に硬性下地１４ｂのみを使用した場合では、敷物１０ａ全体として、硬度が高くなり過ぎると共に、重量が重くなるという欠点がある。また、軟性下地１４ａのみを使用した場合では、敷物１０ａ全体としての硬度が不足すること、及び、後述する畳糸２６による縫い合わせが安定しない（畳糸２６で縫った場所が崩れる）という欠点がある。この互いの欠点を解消させるために、硬度の異なる軟性下地１４ａと、硬性下地１４ｂを重ね合わせる方法を採用した。
【００２０】
図２で示すように、軟性下地１４ａの表面と、硬性下地１４ｂの裏面には、合成樹脂を素材とした不織布で形成された保護シート２４が敷設されている。この保護シート２４は、軟性下地１４ａ及び硬性下地１４ｂに水分を浸入させないようにするため敷設されている。
【００２１】
また、図２で示すように、硬性下地１４ｂに敷設された保護シート２４の下面には、この保護シート２４の裏面を覆うように敷シート２８が敷設されている。この敷シート２８は、合成樹脂を素材としたテープを平織りすることにより形成されたシートであって、敷物１０ａにおける底面の汚れを遮断する役割を果たしている。
【００２２】
次に畳糸２６について説明する。図４は、本実施の形態における敷物１０ａの底面図である。この畳糸２６は合成繊維を撚り合わせることで形成されている。この畳糸２６は、表面側の保護シート２４、軟性下地１４ａ、硬性下地１４ｂ、裏面側の保護シート２４、敷シート２８をつなぎ合わせるため、これらを貫いて縫い合わせている。縫い合わせる場所は、図４で示すように、敷物１０ａの横方向の中央付近に間隔を空け、４列で縫い合わせられている。
【００２３】
次に防火シート１６について説明する。図１で示すように、下地１４と敷シート２８の、後面と、表面と、前面とを包被するように、防火シート１６が被せられている。この防火シート１６は、合成樹脂を素材としたシートに、アルミニュームの薄膜を重ね合わせて、接着剤で接着することで形成されている。防火シート１６は、このアルミニュームの薄膜側の面が敷物１０ａの表面側に向くように、下地１４と敷シート２８に被せられている。
【００２４】
図３は防火シート１６の表面を示す平面図である。この図３で示すように、防火シート１６の表面には感知具１８が配置されている。本実施の形態においては、感知具１８としてハンダ線１８ａが用いられている。このハンダ線１８ａは、直径０．８ミリメートル、材質はスズ６０％、鉛４０％で形成されている。
【００２５】
図７は、可燃性の素材で形成された細管１９とハンダ線１８ａの斜視図である。図７で示すように、このハンダ線１８ａは、可燃性の素材で形成された細管１９に挿入されている。本実施形態においては、内径が１ミリメートルで肉厚が極めて薄いポリプロピレン（Ｐ．Ｐ）の細管１９が使用されている。以後、ハンダ線１８ａとは、この細管１９に挿入された状態のものを示す。
【００２６】
このハンダ線１８ａは、敷物１０ａの表面全体を被うように、１３ｃｍのピッチ間隔でノコギリ歯形状に配置されている。このハンダ線１８ａは、始点と終点が端子部２０に接続されており、ハンダ線１８ａはこの始点と終点の間で途切れることなく１本の線材として形成されている。また、このハンダ線１８ａは互いに交差することはない。
【００２７】
ハンダ線１８ａを防火シート１６に固定するために、難燃性の素材で形成された幅１．５ｃｍの粘着テープ３２が用いられている。この粘着テープ３２が、ノコギリ歯形状に配置されたハンダ線１８ａを横方向に横断するように、３箇所貼り付けられている。
【００２８】
また、粘着テープ３２の替わりに、クサビ型に形成された門型クギを、ハンダ線１８ａを横断するように防火シート１６の表面から打ち込むことで、ハンダ線１８ａを防火シート１６の表面に固定してもよい。
【００２９】
ハンダ線１８ａの始点と終点が接続されている端子部２０は、後述する検知装置４０と電気的に接続するための引出線２２を２本有している。この２本の引出線２２は、図３に示すように、敷物１０ａの前面側の側面から外部に露出している。
【００３０】
図１及び図２において示されるように、防火シート１６の表面に配置されるハンダ線１８ａの表面には、表地１２が被われている。本実施の形態においては、この表地１２に、いぐさを編み表げることで形成された畳表１２ａが使用されている。この畳表１２ａは、防火シート１６と同じ面積であり、防火シート１６で被われている位置と同じ部分の表面を被っている。
【００３１】
次に表地１２及び防火シート１６の固定方法について説明する。図２及び図４で示されるように、この表地１２と防火シート１６は、合成樹脂で形成された幅５センチメートルの粘着テープ３０を貼り付けることによって、保護シート２４及び敷シート２８が敷設されている下地１４に固定されている。この表地１２と防火シート１６の端部（敷物１０ａの裏面に面する部分）に粘着テープ３０の幅の半分を貼り付け、残りの半分を、敷シート２８に貼り付けている。
【００３２】
本実施の形態における敷物１０ａの横方向の両端部は、図１に示すように、装飾された畳縁３４が、敷物１０ａの縦方向の両端部を被い、縫い付けられている。この畳縁３４が縫い付けられることによって敷物１０ａの両端部の見栄えが良くなり、敷物１０全体から見ても、この畳縁３４がデザインのアクセントとなっている。
【００３３】
次に、この敷物１０ａに接続される検知装置４０について説明する。図５によって示されるのは、敷物１０ａと検知装置４０の斜視図であり、本発明における火災報知装置１１である。この検知装置４０は、外面に入力端子５２と、スピーカー４８と、起動スイッチ５０を配置している。敷物１０ａから露出した引出線２２は、この検知装置４０の入力端子５２に接続されている。
【００３４】
図６は、検知装置４０の内部の電気回路図である。この検知装置４０の内部には電気回路が構成されており、この電気回路に、電源部４２、感知スイッチ４４、２個のスピーカースイッチ４６、スピーカー４８、起動スイッチ５０、入力端子５２が接続されている。この電源部４２は乾電池４２ａにより構成されている。また、感知スイッチ４４は、回路に電流が流れないようになったら、スイッチがＯＦＦになる仕組みになっている。２個のスピーカースイッチ４６は、感知スイッチ４４に接続されていて、感知スイッチ４４がＯＦＦになるとスピーカースイッチ４６がＯＮになる仕組みになっている。
【００３５】
このスピーカー４８は、電源が供給されると警告音を発生する仕組みになっている。また２個のスピーカースイッチ４６は、一方が乾電池４２ａと起動スイッチ５０の間に配置され、他方が乾電池４２ａとスピーカー４８の間に配置されている。
【００３６】
本実施の形態における敷物１０ａの作用を説明する。お勤めの際に、仏壇の前に本実施の形態の敷物１０ａを敷き、この敷物１０ａの表面にお勤めに使用する三具足を置く。お勤めをする人が仏壇の前から離れる際には、検知装置４０の起動スイッチ５０をＯＮにする。
【００３７】
検知装置４０の起動スイッチ５０がＯＮになると、検知装置４０内部の乾電池４２ａが、防火シート１６の表面に敷き詰められたハンダ線１８ａに電流を流す。このハンダ線１８ａに流れる電流はごく小さいため、人体に対する影響はない。
【００３８】
三具足を構成しているロウソク立てに、ロウソクが点火された状態のまま、何らかの原因によりロウソク立てが転倒したならば、ロウソクの火が敷物１０ａの畳表１２ａに引火する。
【００３９】
畳表１２ａに引火した火は、その炎による熱で、防火シート１６の表面に配置されたハンダ線１８ａを細管１９と共に切断する
【００４０】
このハンダ線１８ａが切断されたならば、検知装置４０の回路に電流が流れなくなる。すると、回路に設けられた感知スイッチ４４がＯＮになる。この感知スイッチ４４がＯＮになると、２個のスピーカースイッチ４６がＯＮになる。すると、スピーカースイッチ４６を通じて乾電池４２ａとスピーカー４８が導通状態となり、スピーカー４８より警告音が発せられ、家人に異常が起きたことを報知する。
【００４１】
このように、たとえロウソクの炎が畳表１２ａに引火したとしても、引火した炎の熱でハンダ線１８ａが切断され、検知装置４０が作動することにより、家人に異常が起きたことを報知する。よってロウソクの炎による火災の発生を未然に防止することができる。また、本発明は、ロウソクの炎による火災だけではなく、香炉に点火された火による火災など、敷物１０ａの表面に載せられる他の仏具の炎を原因とした火災にも、検知装置４０が作動する。
【００４２】
また、畳表１２ａの裏面に防火シート１６が配置されていることにより、検知装置４０が作動したときの処置が遅れたとしても、炎が下地１４に引火しないので、火炎が急激に広がることはない。
【００４３】
さらに、ハンダ線１８ａは細管１９に挿入されていることから、畳表１２ａの表面に局部的に圧力が加わったとしても、ハンダ線１８ａは容易に切断されることはない。また、畳表１２ａの表面に水分がこぼれたとしても、ハンダ線１８ａが直接水分に触れないので、漏電を起こすことはない。
【００４４】
次に、本発明の第２の実施形態について説明する。図８は、第２の実施形態における敷物１０ｂの平面図である。この図８は、防火シート１６の表面に配置される温度スイッチ１８ｂの配置を説明するため、表地１２ａの表記は略している。本実施形態の敷物１０ｂの使用目的は、この敷物１０ｂの表に寝具を置いて使用することにより、寝タバコを原因とする火災を未然に防止することにある。
【００４５】
本実施の形態における敷物１０ｂの構成は、上述の第１実施形態の敷物１０ａと同様の構成を採用している、構成が異なる部分は、感知具１８に温度スイッチ１８ｂを用いていること、及び、敷物１０ｂの大きさが、一般的な寝具の大きさよりも一回り大きい寸法（縦１２０ｃｍ、横２１０ｃｍ）で形成されていることである。一回り大きい寸法を採用した理由は、一般的な寝具よりも大きくすることにより、より確実に寝タバコによる火災の発生を検知するためである。
【００４６】
この図８に示すように、温度スイッチ１８ｂは、この温度スイッチ１８ｂを中心とした円状の温度を感知できる範囲を有している。この温度スイッチ１８ｂを複数用いて、温度を感知できる範囲が、防火シート１６の表面全体を被うように、温度スイッチ１８ｂが配置される。この複数の温度スイッチ１８ｂのそれぞれが端子部２０に接続されている。
【００４７】
第２の実施形態における敷物１０ｂに使用する検知装置は、熱を感知したならば、スピーカーから警報音を鳴らすように、電気回路が構成されている。
【００４８】
次に、第２の実施形態における作用を説明する。一般的に寝タバコとは、人が寝具の表で体を横たえながらタバコを吸う行為のことをいう。このとき、灰皿は寝具の近くに置かれることになる。寝タバコが原因で起きる火災の要因は、タバコを灰皿に置いたまま寝てしまい、火のついたタバコが灰皿から落ちて、畳及び寝具等に引火するケースが多い。
【００４９】
本実施形態の敷物１０ｂは、この敷物１０ｂの表面中央に寝具を置いて使用する。そして、灰皿も、寝具近くの敷物１０ａの表面に置かれる。このとき、寝タバコをすることにより、灰皿にタバコの火が、何らかの原因により灰皿から落ちて敷物１０ｂの表地１２に引火する。すると、表地１２が燃焼する熱によって温度スイッチ１８ｂが作動する。この温度スイッチ１８ｂは、予め設定された温度になると回路をＯＦＦにする構造のものである。
【００５０】
温度スイッチ１８ｂがＯＦＦになることにより、引出線２２により温度スイッチ１８ｂがＯＦＦになったことが検知装置４０に伝達される。すると警報装置４０のスピーカー４８から警告音が発せられ、家人に異常が起きたことを報知する。
【００５１】
本実施形態の敷物１０ｂは、寝タバコによる火災を報知することを目的に使用することに限定されない。例えば、敷物１０ｂをストーブの下に敷設することで、ストーブの火が何らかの原因により、敷物１０ｂの表地１２に引火することで発生する火災を報知することも可能である。
【００５２】
次に、本発明における第３の実施の形態を説明する。図９は、この敷物１０ｃの底面図である。本実施形態の敷物１０ｃは、仏壇の内部に置かれた三具足の裏面に敷設されることにより、例えば、ロウソクに点火されている火が何らかの原因により、敷物１０ｃに引火した時に、その火災を家人に報知することを目的としている。
【００５３】
本実施形態の敷物１０ｃは、表面に装飾が施されている表地１０ｂと、前記表地１２ｂの裏面に貼付された、火災により発生する熱で作用するハンダ線１８ａにより構成される。また、敷物１０ｃと、この敷物１０ｃと電気的に接続される検知装置４０（図５で示される）によって、火災報知装置１１を構成している。この検知装置４０は、第１の実施形態と同じ構成である。
【００５４】
表地１２ｂは、絹で織られた素地に金糸で華やかな刺繍が施されている。この表地１２ｂは、仏壇に向かう方向を縦とし、お勤めをする人に面する方向を横とすると、縦３０センチメートル、横４５センチメートルの大きさで形成されている。
【００５５】
図９で示すように、この表地１２ｂの裏面に、第１の実施形態で使用したものと同じハンダ線１８ａが貼付されている。このハンダ線１８ａは、表地１２ｂの裏面全体を被うように、５ｃｍのピッチ間隔でノコギリ歯形状に配置されている。このハンダ線１８ａは、始点と終点が端子部２０に接続されており、ハンダ線１８ａはこの始点と終点の間で途切れることなく、また、互いに交差することなく１本の線材として形成されている。
【００５６】
ハンダ線１８ａを表地１２ｂの裏面に固定するために、難燃性の素材で形成された幅１．５ｃｍの粘着テープ３２が用いられている。この粘着テープ３２が、ノコギリ歯形状に配置されたハンダ線１８ａを横方向に横断するように、３箇所貼り付けられている。
【００５７】
ハンダ線１８ａの始点と終点が接続されている端子部２０は、検知装置４０と接続するための引出線２２を２本有している。この２本の引出線２２は、図９に示すように、敷物１０ｃの横方向の側面から外部に露出している。
【００５８】
本実施の形態の作用を説明する。三具足を構成しているロウソク立てに、ロウソクが点火された状態のまま、何らかの原因によりロウソク立てが転倒したならば、ロウソクの火が表地１２ｂに引火する。表地１２ｂに引火した火は、その炎による熱で、ハンダ線１８ａを切断する。このハンダ線１８ａが切断されたならば、検知装置４０が作動する。そして、スピーカー４８より警告音が発せられ、家人に異常が起きたことを報知する。
【００５９】
このように、たとえロウソクの炎が表地１２ｂに引火したとしても、引火した炎の熱でハンダ線１８ａが切断され、検知装置４０が作動することにより、家人に異常が起きたことを報知する。よってロウソクの炎による火災の発生を未然に防止することができる。また、本発明は、ロウソクの炎による火災だけではなく、香炉に点火された炎による火災など、敷物１０ｃの表面に載せられる他の仏具の炎を原因とした火災にも、検知装置４０が作動する。
【００６０】
本実施形態においては、表地１２に金糸により刺繍された表地１２ｂを使用しているが、表地１２にいぐさを編みこむことで形成されたゴザを使用することも可能である。この場合には、ゴザの裏面に感知具１８が貼付されることになる。また、細部の構造は異なるが、自動車における足マットの裏面に感知具１８を貼付することにより、タバコの火が足マットに引火すること等による車内火災を報知することも可能である。
【００６１】
次に、本発明における第４の実施の形態を説明する。本実施形態においては、仏壇又は神棚に置かれるロウソク立て６２の下に、ロウソク立て６２が転倒したことを感知する敷物６０を敷設することで火災を検知する、火災報知装置について説明する。
【００６２】
図１０は第４の実施形態の斜視図である。図１１は、転倒検知用敷物６０の平面図である。図１２は、転倒検知用敷物６０の分解断面図である。これらの図で示すように、第４の実施形態における火災報知装置は、ロウソク立ての転倒を検知することにより火災を報知する火災報知装置であって、表面が絶縁された表地１２と、表地１２の表面に間隔を空けて配置された２枚の導電板６４と、ロウソク立て６２の底部に配置され、前記２枚の導電板６４にまたがる大きさを備えた導電部材６６と、２枚の導電板６４に火災により発生する熱で断線する線材を介して接続された検知装置４０から構成される。この火災により発生する熱で断線する線材に、ハンダ線１８ａを使用している。
【００６３】
転倒検知用敷物６０は、紙材を圧縮することで形成された下地１４と、下地１４の表面を被うように配置された表地１２と、表地１２の表面に間隔を空けて配置された２枚の導電板６４と、下地１４の裏面を被う織布６８から形成されている。銅板により形成された２枚の導電板６４は、方形のアクリル板７０の両端を挟み込むことで、２枚の導電板６４の間に間隔が空けられている。このアクリル板７０は、表地の表面の中央に配置されている。図１２で示されるように、ロウソク立て６２の底部には、銅板で形成された導電部材６６が、ロウソク立て６２の底部全体を被うように貼付されている。
【００６４】
この２枚の導電板６４には、それぞれハンダ線１８ａが接続されている。この２枚の導電板に接続されたハンダ線１８ａは、図１２で示すように、下地１４と表地１２の間に配置される。このとき、一方の導電板に接続されたハンダ線１８ａは、図１１で示すように、アクリル板７０の外側を一回りして転倒検知用敷物６０の外部に引き出されている。他方の導電板６４に接続されたハンダ線１８ａは、一方の導電板６４に接続されたハンダ線１８ａと交わることなく、転倒検知用敷物６０の外部に引き出されている。それぞれのハンダ線１８ａは、転倒検知用敷物６０から露出されている２本の引出線２２のそれぞれに接続されている。
【００６５】
検知装置４０は、第１の実施の形態で説明したものと同じ検知装置４０を用いる。この検知装置４０の入力端子５２に、一方の導電板６４に接続された引出線２２と、他方の導電板６４に接続された引出線２２が接続されている。
【００６６】
この転倒検知用敷物６０における２枚の導電板６４は、アクリル板７０によって隔てられていることにより、電気的に接続されていない。よって、この２枚の導電板６４に跨るように、ロウソク立て６２が載置されることにより、ロウソク立て６２の底部の導電部材６６が、２枚の導電板６４の間を電気的に接続することになる。
【００６７】
次に、この第４の実施の形態における作用を説明する。転倒検知用敷物６０を仏壇におけるロウソク立て６２が置かれる位置に配置する。この転倒検知用敷物６０の上に、底部に導電部材６６を貼付したロウソク立て６２を載置する。このとき、転倒検知用敷物６０における２枚の導電板６４にロウソク立て６２が跨るように、ロウソク立て６２を載置する。
【００６８】
これにより、なんらかの原因によりロウソク立て６２が転倒した場合には、２枚の導電板６４における電気的接続が切断されることになるので、検知装置４０における感知スイッチ４４がＯＦＦになり、警報が発せられる。
【００６９】
また、ロウソク立て６２が転倒しない場合であっても、ロウソクの火が可燃物に引火し、転倒検知用敷物６０にまで引火したならば、転倒検知用敷物６０のハンダ線１８ａを切断することになり、同様に検知装置４０が警報を発する。
【００７０】
このように、ロウソク立て６２が転倒することによる火災の発生を、ロウソク立て６２の転倒により検知することができるので、ロウソクの炎による火災を未然に防止することができる。また、ロウソク立て６２が転倒しても、２枚の導電板６４間の電気的接続が切断されない場合（転倒したロウソク立て６２自体が２枚の導電板６４の電気的接続を維持する場合等）であっても、ロウソクの炎が転倒検知用敷物６０のハンダ線１８ａを切断するので、火災を報知することができる。
【００７１】
また、第４の実施形態における、転倒検知用敷物６０は、上述で説明した構造のものに限定されない。例えば、導電板６４がロウソク立て６２の底部からはみ出て見栄えが悪い場合には、導電板６４の露出部分の面積を押さえるため、アクリル板７０を使用しない構造でもよい。これは、表地１２の表面に２箇所切れ目を入れ、２枚の短冊状の導電板６４を、それぞれ表地１２の裏面から切れ目に挿入し、切れ目部分で、導電板６４を互いに外側に折り返すことで、２枚の導電板６４の間に空間を設ける構造でもよい。このとき、２枚の導電板６４が、ロウソク立て６２の底部からはみ出さないように配置すれば、２枚の導電板６４は、ロウソク立て６２の底部に隠れるので、見栄えは悪くならない。
【００７２】
また、２枚の導電板６４を隔てる部材はアクリル板７０に限定されない。電気を通さない絶縁物であれば、他の材質の部材でもよい。導電板６４、導電部材６６についても、銅を素材にしたものに限定されない。電気を通す導電体であれば、他の材質の素材でもよい。
【００７３】
また、２枚の導電板６４は、板状のものに限定されない。箔状、シート状、線条体、帯状の形状でもよい。導電部材の全体の形状も、箔状、シート状、線条体、帯状の形状でもよい。例えば、ロウソク立て６２の底部全体を被う形状に限定されず、十字型の形状の導電部材でもよい。
【００７４】
本発明の第５の実施形態においては、火災検知用敷物は敷物として使われるのではなく、図１４で表される火災検知具９０として、例えば神棚の上部の天井等に貼付される。神棚８０は一般に目の高さ以上の高い所に南向き又は東向きに設けられ、図１３に表されるように、榊立て８２、御神灯８４、狛犬８６、真榊８８等を備えている。
【００７５】
また、神棚８０の上に部屋などがあって人が神棚８０の上を歩くことがある場合は、「雲」という字を奉書紙等の白い紙に書いて神棚８０の上の天井に貼る。「雲」はこれより上は何もないという意味合いで天井に貼られるのだが、本実施形態においてはこの「雲」と表面に書かれた火災検知具９０の中に感知具１８を埋め込んで火災を検知する。
【００７６】
図１４ｂは、火災検知具９０に感知具１８を埋め込む場合の一例を示す平面図である。感知具１８は例えばハンダ線１８ａであり、その始点と終点は端子部２０に接続され、粘着テープ３２により白ボール紙９５に固定される。そして端子部２０は、検知装置４０と接続するための引出線２２を２本有している。
【００７７】
図１４ｃは火災検知具９０の断面図であり、表地９６の表面に図１４ａのように「雲」と書かれている。火災検知具９０は、火災検知具９０が反らないように入れられる２ｍｍ厚のＦＭシート９３の上に難燃性シート・アルミホイール９４を積層し、０．５ｍｍ厚の白ボール紙９５を被せて白ボール紙９５の表面にハンダ線１８ａを例えば図１４ｂのように略渦巻状に配置する。
【００７８】
次に、上述のようにハンダ線１８ａの両端を引出線２２とし、又、粘着テープ３２でハンダ線１８ａを白ボール紙９５の表面に固定する。そして、例えば「雲」と書かれたインクジェットプリンタ用紙を表地９６とする。積層されたＦＭシート９３、難燃性シート・アルミホイール９４、白ボール紙９５、ハンダ線１８ａを表地９６で覆う。表地９６の周端は内側に折り込み、ＦＭシート９３と同じ大きさの白ボール紙９２でシールする。最後に両面テープ９１を白ボール紙９２の表面に貼り付けて火災検知具９０が完成する。
【００７９】
この火災検知具９０は、上記のように「雲」と書かれた面が下に向くように神棚８０の上方天井に貼付される。あるいは、火災検知具９０を天井に貼付する以外に使用してもよい。御神灯８４に入る蝋燭等の火等により神棚８０が燃え出した時に火事を感知しやすい位置であれば、天井に限らずどこに貼付してもよい。例えば神棚８０の上方の壁や、神棚８０の裏側等である。
【００８０】
また、引出線２２と接続される検知装置４０は、なるべく目立たない位置に、外観を損なわないよう配置されるのが好ましい。例えば火災検知具９０から引き出された引出線２２は、天井の隅の壁沿い及び柱沿いに伝わせて、床上に設置した検知装置４０に接続する。
【００８１】
次に、本実施形態の作用について説明する。神棚８０は、家の中で大神宮などの神符を祭る棚をいうが、毎朝のお勤めの他、祈祷等を行なう時は御神灯８４を点灯させ、あるいは図示しない蝋燭に火を燈し、榊立て８２に御神木を立ててお祭りしたりする。
【００８２】
何らかの原因で神棚８０に引火した場合は、火は上方に広がって行く。また、上述のように神棚８０は一般に高い位置に設けられるため、背の高い、榊立て８２に立てられた御神木や真榊８８に引火した場合、神棚８０の上方の天井に貼付した火災検知具９０に燃え移りやすい。
【００８３】
このように火災検知具９０に引火した火は、その熱により火災検知具９０埋め込まれたハンダ線１８ａを切断し、検知装置４０が作動する。そして、スピーカー４８の発する警告音が、家人に異常を報知する。
【００８４】
火災検知具９０を天井に貼付するのではない場合は、表地９６に「雲」の表記は不要であり、神棚８０の裏側や神棚８０の裏側の壁等のなるべく目立たない場所に貼付するのが美感を損なわず好ましい。あるいは表地９６に装飾を施して、目立つ位置に配置してもよい。この場合も火災検知具９０に引火した火の熱により、内部に埋め込まれたハンダ線１８ａが切断され、検知装置４０が発する警告音が、家人に異常を報知する。
【００８５】
最後に、検知装置４０の他の実施形態である、検知装置１４０について説明する。図１５は検知装置１４０の内部の電気回路図である。この検知装置１４０の電気回路図の構成は、基本的に上述の検知装置４０と同様であり、電源部１４２、感知スイッチ１４４、２個のスピーカースイッチ１４６、スピーカー１４８、起動スイッチ１５０、入力端子１５２を備えている。又、電源部１４２は例えば乾電池１４２ａにより構成されている。
【００８６】
また、検知装置１４０の作用も検知装置４０と基本的に同様であり、感知スイッチ１４４は、上述した火災検知用敷物内等から引き出された引出線２２の回路に電流が流れないようになったら、スイッチがＯＦＦになる仕組みになっている。２個のスピーカースイッチ１４６は、感知スイッチ１４４に接続されていて、感知スイッチ１４４がＯＦＦになるとスピーカースイッチ１４６がＯＮにり、警告音を発生する仕組みになっている。
【００８７】
しかし、本実施形態の検知装置１４０は、電話線１５４がレコーダ１５６を介して、スピーカースイッチ１４６からモデュラージャックに接続され、電話回線につながれている。そして、スピーカースイッチ１４６がＯＮとなると同時に、電話番号「１１９」を表す信号が、例えばレコーダ１５６から発信され、消防署等に自動的に電話がかかる仕組みになっている。
【００８８】
次に、消防署と電話がつながり通話状態になると、今度は通話状態を認知したレコーダ１５６が予めセットされた記録媒体１５８を作動させる。この記録媒体１５８には、前もって持ち主が吹き込んだ音声が録音されており、検知装置１４０の設置されている場所等を消防署に伝えることができる。
【００８９】
また、電話線１５４を介して電話回線に接続する方法ではなく、スピーカースイッチ１４６に接続された携帯電話から消防署等に通報、通話するようにしてもよい。即ち検知装置１４０は、スピーカースイッチ１４６がＯＮになると同時に携帯電話から発信音を発し、消防署に自動的に電話がかかる仕組みとしてもよい。この場合、例えば携帯電話内に設置されたレコーダ１５６は、通話状態を認知し、録音されデジタル化された音声情報を電波にのせて伝送する。
【００９０】
本発明は表記の実施の形態に限定されない。本発明はその趣旨を逸脱しない範囲で当業者の知識に基づき種々なる改良、修正、変形を加えた態様で実施できるものである。
【００９１】
本実施の形態においては、感知具１８にハンダ線１８ａ及び温度スイッチ１８ｂを用いているが、これらに限定されない。例えば、細部の構成は異なるが、防火シート１６の表面全体を、温度ヒューズ、又は、測温抵抗体で被う構造を採用することも可能である。
【００９２】
また、検知装置４０で警報音を出す替わりに、警告ランプを用いた光による警告でもよい。また、敷物１０の形状も方形に限られず、円形でもよい。更には、感知具１８をテープ状に形成し、防火シート１６の表面に配置する方法を採用しても良い。
【００９３】
【発明の効果】
本発明は、仏事の際に使用する仏具の下に敷く敷物において、その敷物の表地の裏面に配置された感知具が、表地を燃やすような火災が起きた際に、検知装置に情報（火災が起きたこと）を伝達することで、その火災による異常を報知する。よって、仏具で使用している火によって起こる火災を未然に防止することができる。
【００９４】
また、本発明においては、表地にいぐさを編みこむことにより形成された畳表を使用し、また、側面は畳縁が施されているので、外観表、仏壇の前においても違和感を受けることがなく、お勤めをする人にとって心理的圧力を感じることはない。
【００９５】
更に、本発明による敷物を寝具の下に敷設することで、寝タバコによる火災を検知したり、ストーブの下に敷設することで、ストーブの火が他のものに引火することによる火災を検知したりすることも可能であり、家の中で起きる火災を検知することで家人に異常を報知することができる。
【００９６】
更に、本発明による敷物に接続される検知装置は、火災を検知してスピーカーで警報を鳴らすばかりでなく、電話回線に接続することで火災発生地を消防に通報し、迅速な消火活動を促すことができる。
【図面の簡単な説明】
【図１】本発明における第１実施形態の火災検知用敷物の斜視破断図である。
【図２】第１の実施形態における火災検知用敷物のＡ−Ａ断面図である。
【図３】第１の実施形態における火災検知用敷物の防火シートより表面を示した平面図である。
【図４】第１の実施形態における火災検知用敷物の底面図である。
【図５】第１の実施形態における火災検知用敷物と検知装置から構成される火災報知装置の使用状態を示した斜視図である。
【図６】第１の実施形態における検知装置の電気回路図である。
【図７】第１の実施形態における可燃性の素材で形成された細管とハンダ線の斜視図である。
【図８】本発明における、第２実施形態の火災検知用敷物の平面図である。
【図９】本発明における、第３実施形態の火災検知用敷物の底面図である。
【図１０】本発明における、第４実施形態の火災報知装置の斜視図である。
【図１１】本発明における、転倒検知用敷物の平面図である。
【図１２】本発明における、転倒検知用敷物の分解断面図である。
【図１３】本発明における、第５実施形態の火災報知装置に係る神棚の斜視図である。
【図１４】（ａ）本発明における、第５実施形態の火災報知装置に係る火災検知具の平面図である。（ｂ）本発明における、第５実施形態の火災報知装置に係る火災検知具内のハンダ線の配置図である。
（ｃ）本発明における、第５実施形態の火災報知装置に係る火災検知具の断面図である。
【図１５】本発明における、第５の実施形態の検知装置の電気回路図である。
【符号の説明】
１０ａ：第１の実施形態における火災検知用敷物
１０ｂ：第２の実施形態における火災検知用敷物
１０ｃ：第３の実施形態における火災検知用敷物
１１：火災報知装置
１２：表地
１２ａ：畳表
１２ｂ：第３の実施形態の表地
１４：下地
１４ａ：硬性下地
１４ｂ：軟性下地
１６：防火シート
１８：感知具
１８ａ：ハンダ線
１８ｂ：温度スイッチ
１９：細管
２０：端子部
２２：引出線
２４：保護シート
２６：畳糸
２８：敷シート
３０：粘着テープ（表地固定用）
３２：粘着テープ（ハンダ線固定用）
３４：畳縁
４０、１４０：検知装置
４２、１４２：電源部
４２ａ、１４２ａ：乾電池
４４、１４４：感知スイッチ
４６、１４６：スピーカースイッチ
４８、１４８：スピーカー
５０、１５０：起動スイッチ
５２、１５２：入力端子
６０：第４の実施形態における転倒検知用敷物
６２：ロウソク立て
６４：導電板
６６：導電部材
６８：織布
７０：アクリル板
８０：神棚
８２：榊立て
８４：御神灯
８６：狛犬
８８：真榊
９０：火災検知具
９１：両面テープ
９２、９５：白ボール紙
９３：ＦＭシート
９４：難燃性シート・アルミホイール
９６：表地
１５４：電話線
１５６：レコーダ
１５８：記録媒体
【図１】
2004030559.tif 000003
【図２】
2004030559.tif 000004
【図３】
2004030559.tif 000005
【図４】
2004030559.tif 000006
【図５】
2004030559.tif 000007
【図６】
2004030559.tif 000008
【図７】
2004030559.tif 000009
【図８】
2004030559.tif 000010
【図９】
2004030559.tif 000011
【図１０】
2004030559.tif 000012
【図１１】
2004030559.tif 000013
【図１２】
2004030559.tif 000014
【図１３】
2004030559.tif 000015
【図１４】
2004030559.tif 000016
【図１５】
2004030559.tif 000017